(57)【要約】【課題】簡単に短時間で、他の建設作業の障害にならず作業を行なえ、鉄骨柱の転倒を防止し、転用も簡単に行なえ、鉄骨柱の傾き調整作業の作業効率を向上させ、調整作業後の精度の保持をさせる。【解決手段】鉛直に立設された鉄骨柱端部と、該端部に対向する他の鉄骨柱の端部との周面にそれぞれ設けられたエレクションピースＥ１，Ｅ２と連結する連結体スプライスプレート１ａ，１ｂの最上部及び最下部のボルト穴１１ａ，１１Ｅ，１１ｂ及び１６ａ，２３Ｅ，１６ｂにＵ字型特殊金具１のボルト穴１２ｄ及び１３ｄにボルト５１及び５２と共に貫通させ連結する。前記Ｕ字型特殊ボルトに上下共に前記既設新設の鉄骨柱の前記エレクションピースの上部下部を締め付けるボルトＹを取りつける、前記既設鉄骨柱の前記エレクションピースＥ１と前記親設の鉄骨柱のエレクションピースＥ２との間に半円加工Ｆ１、Ｆ２を施し、施された加工部分に鉄骨柱面に平行に丸型くさび２、もしくわ四角くさび３、半角半丸くさび４、を備える。【選択図】図１
2004239032.tif 000002
【特許請求の範囲】
【請求項１】
複数のエレクションピースを周方向に間隔をおいて上方の端部に有する既設の鉄骨柱に、前記エレクションピースに対応する複数のエレクションピースを下方の端部に有する新設の鉄骨柱を接合すべき時、前期既設の鉄骨柱の上側に降ろした前期新設の鉄骨柱の転倒を防止及び連結固定する方法であって、前記既設の鉄骨柱の各エレクションピースと前記新設の鉄骨柱の各エレクションピースを連結する連結体スプライスプレートを前記既設の鉄骨柱と前記新設の鉄骨柱のエレクションピースと連結体のスプライスプレートの最上部と最下部にＵ字型の金具を被せ前記Ｕ字型金具から前記エレクションピース、前記連結体を貫通させたボルト穴にボルトを通し連結させ、後数本のボルトを新設の柱重量に応じて前記連結体と前記エレクションピースを貫通させたボルト穴にとうし固定、前記Ｕ字型金具の上部にネジ穴加工されていて、そこに前記エレクションピースの上面下面に直角方向にボルトをそなえる。前記ボルトを前記エレクションピースの上、下面を締め付ける事で前記既設のエレクションピースと新設のエレクションピースを連結固定し、転倒及び前期既設柱からの前記新設柱の浮き上がりを防止。
【請求項２】
前記周方向に複数設けられた前記既設の鉄骨柱のエレクションピースと前記新設のエレクションピースの接地面の各々に半円形加工及び半四角型加工等を施すことにより、エレクションピースに直角に鉄骨面に平行に丸型及び角形くさびを打ち込む事を可能にすると共にクサビの打ち込み方向を固定でき、落下を防止し、立ち入れ調整を可能にしました。
【発明の詳細な説明】
【０００１】
【発明の属する技術分野】本発明は鉄骨柱の転倒防止方法及び建て入れ修正方法に関する。更に詳しくは、複数のエレクションピースを周方向に間隔を置いて上方の端部に有する既設の鉄骨柱に、前記エレクションピースに対応する複数のエレクションピースを下方の端部に有する新設の鉄骨柱の転倒を防止する方法と、前記新設の鉄骨柱の傾きを調整する方法及び傾き調整後ノ新設柱の精度を維持する方法に関する。
【０００２】
【従来の技術】構造物の建築現場等において鉄骨柱等の柱部材その他の長尺部材を下側柱部材に鉛直方向に建てる建て入れ作業を行う場合を例に取ると、前記長尺部材を、これを建て入れる下部柱部材の上に概ね鉛直姿勢を取る様に建て入れる。次いで、下部柱部材と上側長尺部材を仮固定した後立ち入れ作業を行なう。
【０００３】この立ち入り作業は、従来、前記上側長尺部材の上端部付近に下部方向に向ってワイヤーを４方向に張り、緊張器を用いて各ワイヤーを引っ張る事によって転倒防止及び建ち入り直し作業を行ない、長尺部材を下部柱部材に本接合するまで鉛直を保ち、転倒を防止する方法がとられている。
【０００４】建ち入れ作業に対応する既設の鉄骨柱のエレクションピースと新設の鉄骨柱のエレクションピースの接地面に鉄骨面に直角にクサビを打ち込むことで立ち入れ作業を行う場合もありました。
【０００５】
【発明が解決しようとする課題】しかしながら、このワイヤーを用いて立ち入り直しを行い、転倒防止をする方法では、ワイヤーの取りつけ、取り外し、及び緊張器の取り付け、取り外しに手間がかかると共にワイヤー、緊張器等多くの架設資材が必要となる。また、ワイヤーを４方向に張る事により同時進行している別の立ち入り直し作業のワイヤーと交錯し、建設現場全体の障害となる場合が多く、作業効率を低下させる原因にもなる。
【０００６】また、長尺部材を本接合するまでに時間を要するので、ワイヤーの伸びや緊張器の緩みが生じ、長尺部材の鉛直を保てず再度立ち入り直しを要する場合が生じる。更に、長尺部材を本接合した後に立ち入り直し装置を撤去するのに多くの手間と時間をようする。
【０００７】それと転倒防止及び建て入れ調整として前記４方向にワイヤーを張る方法以外にも、建て入れ調整機を内臓する連結体を使用する場合もあるが、本接合終了まで取り外す事ができないのと連結体が大型化してることで、転用効率が悪く連結体の使用台数が多くなってその分コストもかかってしまう。
【０００８】建ち入れ作業に前記クサビを使用する場合はクサビは打ち込む一方で打ち込み過ぎると引きぬく事が出来なかったり、前記クサビ折れてしまい抜けなくなったり、転用するのに大変手間がかかりました。
【０００９】前記クサビや前記既設、新設のエレクションピースの間を油圧ジャッキやネジ式ジャッキなどで押し上げ押し下げをして新設鉄骨柱の建ち入れ調整などを行う場合もあるが、前記ジャッキを取りつけるボルト穴径とボルト径の寸法及び前記上下エレクションピースと連結体の一対のスプライスプレートの連結で使用するボルト穴径が使用ボルト径より基本的に２ｍｍ以上大きくする事が多く、建て入れ時に新設鉄骨柱の鉛直を調整しても、どうしてもボルトクリア分簡単な力でずれてしまう、たった数ミリの事ですが、鉄骨柱は１０メートル以上の物が多く鉄骨柱の根元のズレは柱を大きく傾けてしまう。
【００１０】そこで本発明は、下側部材の上端部に新設鉄骨柱を鉛直方向に建てる立ち入り及び転倒防止作業において建て入れた柱部材を立ち入り直しして下部部材に接合し転倒防止するに供する鉄骨柱転倒防止接合用立ち入り直し装置であり、簡単に短時間でまた、他の建設作業の障害になることなく立ち入り直し作業を行う事が出来一度鉛直調整を行った新設鉄骨柱の精度を保持する事ができる、構造簡単で安価で転用が簡単な長尺部材接合用転倒防止及び立ち入り直し装置を提供する事を課題とする。
【００１１】
【課題を解決するための手段】本発明は前記課題を解決する為、下側部材の上端部に上側鉄骨柱部材を鉛直方向に建てる建ち入り作業に置いて建て入れた柱部材を立ち入り直しし、転倒防止し下側部材に接合するに供する柱部材接合用転倒防止接合用立ち入り直し装置であり、下側部材の上端部側面に予め設けられた第一エレクションピースと上側柱部材の下端部側面に予め該第一エレクションピースト対応した位置に設けられた第二エレクションピースの両方の接地面に半円加工を前もって施したものと、それらの両側からあてがわれて連結固定されるべき一対のスプライスプレートと、前記第一エレクションピース及び第二エレクションピースとそれを連結固定している該スプライスプレートを貫通しているボルト穴もしくわ最下部にＵ字型長尺部材転倒防止金具をボルトで取りつけ前記Ｕ字型金具の下部にあるボルトで前記第一、第二エレクションピースの最上部面もしくわ最下部面を締め付ける事で前記第一、第二エレクションピースと連結体である該スプライスプレートヲ連結する、それと前記対応する第一、第二エレクションピースの接地面の半円以下の加工されている部分に特殊丸型クサビを鉄骨面に平行に打ち込む事で前記上部長尺部材と建ち入れ調整を行う。
【００１２】本発明では前記下側部材の第一エレクションピースと上側長尺部材の第二エレクションピースを連結固定する前記一対のスプライスプレートにその上部柱部材重量に必要な数カ所のボルト穴を貫通させ、その前記ボルト貫通穴の最上部及び最下部の前記貫通穴に上部長尺部材重量に必要なせん断力を持つボルトを締め付けねじ付き特殊Ｕ字型金具と共に前記ボルト貫通穴をとうし前記エレクションピースと前記スプライスプレートの上部及び下部を被せる様な状態にして前記ボルトをナット締めする、その状態でＵ字型金具に付いている締め付けボルトを前記第一エレクションピスの下面と第二エレクションピースの上面に向かって直角に締め付ける事で新設長尺部材の転倒防止及び既設柱部材と新設柱部材を連結固定する。
【００１３】前記第一エレクションピースと第二エレクションピスの接地面に半円以下の加工などクサビ打ち込み穴を鉄骨面に平行に前もって行ってある個所に丸型や四角型などのクサビを鉄骨面に平行に打ち込む事で前記両エレクションピースの隙間を押し上げる事で立ち入れ調整が出来、前記クサビを打ち込みすぎた場合は打ち込んだ逆側にクサビの先が出ている為前記打ち込んだ逆から打ち返せば前記クサビを抜き取る事も可能及び両エレクションピースの押し上げ幅の微調整も可能である。
【００１４】前記一対のスプライスプレートの連結体と連結固定Ｕ字型金具と建ち入れ調整クサビをそれぞれ一体化しない事で、前記第一エレクションピースと第二エレクションピースを前記３種類の部品で建ち入れを行ない連結固定した後、前記Ｕ字型金具を固定したボルト以外に必要分差し込まれたボルトを本締めした後、いわゆる既設長尺部材を本接合するまで待たずに、前記Ｕ字型と前記建ち入れクサビは取り外すことができ、更にそれぞれが軽量の為転用が早く行なえ、コストダウンにもつながる、従来前記連結固定された第一、第二エレクションピースと一対のスプライスプレートと本締めしたボルトは長尺部材から切断後に鉄骨製造会社がもちかえっている為転用部は軽量である前記Ｕ字型金具とクサビだけとなります。
【００１５】またこの発明においては、前記第一、第二エレクションピース部分に油圧式ジャッキやネジ式などで建ち入れ調整を行なう場合もあるが、前記第一、第二エレクションピースを一対のスプライスプレートでボルト接続するのに当たって、前記第一、第二エレクションピース間を押し上げることで建ち入れ調整を行なうその為押し上げ幅に対応できる前記第一、第二エレクションピースのスプライスプレートとの連結用ボルト穴にクリアが必要になる、最低でも１０ｍｍ位必要とする、しかし前記クリアがある為にせっかく建て入れ時に新設長尺部材の鉛直を調整したとしても前記新設柱部材に他の力が加われば簡単にうごいてしまう。そこで前記第一、第二エレクションピースと前記連結体を接合する為に必要な個所設けられた貫通ボルト穴の最上部と最下部にＵ字型特殊金具をボルトで締め特殊金具に付いてるボルトを前記第一エレクションピースの下面部と第二エレクションピースの上面部に直角に締め付ける事で他の貫通ボルト穴にとうしたボルトを本締めせずに鉛直性を他の力から守る事ができる。
【００１６】本発明にをいて前記第一、第二エレクションピースとの半円以下の加工等四角い加工をする事で、鉄骨面に平行して打ち込むのにクサビの向きを固定してくれ、さらにクサビの落下を防止し、クサビと前記エレクションとの接地面積多くして力を伝えやすくなるのと、クサビの破損を防ぐ。
【００１７】本発明に用いられる前記丸型クサビ及び四角型クサビは鉄骨面に向かって平行に打ち込む物で新設柱部材の建ち入れを調整する為鉄骨面に向かって左右から打ち込める様に作られている為前記第一、第二エレクションピースの押し上げ幅を自由に調整できる。
【００１８】
【発明の実施の形態】以下、本発明の実施形態について図面を参照して説明する。図１は本発明に係わる鉄骨柱接合用建て入れ直し装置Ａの使用状態例を示す斜視図である。さらに言えば、既に鉛直方向に立設されている下側柱部材の上端に上側柱部材を鉛直に接続する為に用いている様子を示す斜視図である。
【００１９】また、図２、図３はそれぞれ図１に示す鉄骨柱接合用転倒防止建て入れ直し装置の使用状態のそれぞれ正面図、側面図である。図４、図５、図６は鉄骨柱転倒防止建て入れ装置Ａのそれぞれの部品の図４はＵ字型特殊転用防止建て入れ調整保持金具の斜視図、図５は建ち入れ調整用クサビの斜視図（３パターン）、図６、図８、図９は立ち入れ調整用特殊加工エレクションピースの側面図です。図７は装置使用状態でのエレクションピース、スプライスプレート、Ｕ字型特殊金具のボルト穴とボルトの状態を側面から見た中央部断面図である。鉄骨柱接合用転倒防止建て入れ直し装置Ａは、既に鉛直方向に立設されている下側柱部材ＤＰ上端部側面に溶接等の接合手段によって接続された図６上部に半円加工された第一エレクションピースＥ１と長尺部材ＵＰ下端部側面に溶接等の接合手段によって接続された図６下部に半円加工された第二エレクションピースＥ２の両側からあてがわれて連結固定される一対のスプライスプレート１ａ、１ｂと、第一、第二エレクションピースと一対のスプライスプレートヲ連結する為の最上部ボルト５０及び最下部ボルト５１で図４Ｕ字型転倒防止及び連結固定用ボルトのクリア締め付け金具１と、向かい合った第一エレクションピースの半円加工と第二エレクションの半円加工の隙間（図６参照）に鉄骨面に平行に図５両面たたき可能クサビ２（図１、図２参照）を備えている。
【００２０】（図５参照）前記説明はクサビ２使用時の場合であるがクサビ３もしくはクサビ４の形状を使用すれば図７のＦ１、Ｆ２のように２箇所加工する必要がなくなり、図８のＧもしくわ図９のＨのように一ッ個所の加工で済むようにも可能である。
【００２１】スプライスプレート１ａには、エレクションピースＥ１，Ｅ２との連結に用いる６個のボルト孔１１ａ，１２ａ，１３ａ，１４ａ，１５ａ，１６ａが設けられており、スプライスプレート１ｂにも同様にボルト孔１１ｂ、１２ｂ、１３ｂ、１４ｂ、１５ｂ、１６ｂ（図７参照）が設けられている。
【００２１】エレクションピースＥ１、Ｅ２にも一対のスプライスプレート１ａ，１ｂと連結に用いるボルト孔Ｅ１１，Ｅ１２，Ｅ１４，Ｅ２１，Ｅ２２，Ｅ２３が設けられている。それとエレクションピースＥ１とＥ２の間隔を調整する為にクサビ２（図５参照）の最大孔部分と同じ孔を円の４分１以上の加工（図６参照）部分をクサビ２打ち込み時向きがずれたり、外れたりしないよう設けている。
【００２３】Ｕ字型転倒防止及び建て入れ調整保持金具１（図４参照）にはスプライスプレート１ａ、１ｂとエレクションピースと連結に用いるボルト孔１１ｃ、１２ｃ、１１ｄ、１２ｂが設けられているのと、エレクションピースＥ１，Ｅ２と一対のスプライスプレート１ａ、１ｂをボルトクリア分（ボルト穴孔とボルト径との差）を連結固定させる為のネジ穴Ｘとそれに使用するボルトＹをもうける。
【００２４】にエレクションピースＥ１，Ｅ２の両孔の間を押し上げ調整をするために鉄骨面に平行に右側面Ｏ及び左側面Ｐからもたたけるクサビ２を設けました。
【００２５】Ｕ時型金具１とエレクションピースＥ１，Ｅ２と一対のスプライスプレート１ａ、１ｂを連結するボルト５１，５２，５３，５４，５５，５６は新設柱部材ＵＰの重量、地震時の事を考慮に入れたせん断力を持つボルトを用意する。
【００２６】第一、第二エレクションピースＥ１，Ｅ２には、一対のスプライスプレート１ａ，１ｂに設けられていたボルト孔１１ｂ、１２ｂ、１３ｂ、１４ｂ、１５ｂ、１６ｂと同じ径の円孔の１１ａ，１２ａ，１３ａ，１４ａ，１５ａ，１６ａがもうけられている。そのそれぞれの対応するボルト穴孔に円孔が２ミリ以上小さいボルトで連結させる。最上部と最下部の連結部分１１ａ，１１ｂ及び１６ａ，１６ｂの連結部分では、前記径のボルトで特殊Ｕ字型金具も同時ｎｉ連結されている（図１参照）。また転倒防止建ち入れ装置Ａにをいて、前記第一、第二エレクションピースノ接地する面に円周の４分の１前後の孔を向かい合わせ位置に加工（図６参照）があり、鉄骨面に平行して前記加工面に最大円孔が前記加工部の孔と同じ丸型クサビを差し込むことで、エレクションピースＥ１，Ｅ２関を押し上げて建ち入れ調整を行なう、そしてＵ字型金具についているボルトＹをエレクションピースＥ１、Ｅ２の最上部面と最下部面を締め付ける事でエレクションピースＥ１，Ｅ２間の間隔を固定させる。（図７参照）
【００２７】柱部材接合用転倒防止及び建ち入れ装置Ａを用いて断面四角形状、円形状の如き上側柱部材ＵＰを同断面形状の下側柱部材ＤＰに鉛直建ち入れをする手順の一例は次の通りである。先ず予め下側柱部材ＤＰの上端部周側面に等中心角度間隔で四箇所に第一エレクションピースＥ１を設け上側柱部材ＵＰの下端部周側面にもエレクションピースＥ１に対応させて第二エレクションピースＥ２を予め設ける。
【００２８】次いで上側柱部材ＵＰをクレーン等の吊り上げ装置で吊り上げる。これと共に、又はこれに前後してＵ字型金具１のボルト穴１２ｄ、１３ｄと一対のスプライスプレート１ａ，１ｂの相対するボルト孔１１ａ，１１ｂと第二エレクションピースＥ２のボルト孔１１ｃをボルト５０をＵ字型金具１の１２ｄ側から１１ａ，１１ｃ，１１ｂ，１２ｄのボルト孔を貫通させ、突出したボルト５０の先端にナット６０を締める事で上側柱部材ＵＰに接合された第二エレクションピースとＵ字型金具１と一対のスプライスプレート１ａ，１ｂを仮接合して、下側柱部材ＤＰに接合された第二エレクションピース２に相対する第一エレクションピースＥ１に当接させて仮設置する。
【００２９】このように、エレクションピースＥ２に建て入れ装置Ａを仮接合したままで、上側柱部材ＵＰを更にクレーン等の吊り上げ装置を用いて下側部材ＤＰの上端部に載置する。この時、互い次いで、スプライスプレート１ａ，１ｂがエレクションピースＥ１，Ｅ２と重なる様にボルト５０を中心に回動させる。プレート１ａのボルト孔１２ａ、第一エレクションピースＥ２の円孔１２ｃ，プレート１ｂのボルト孔１２ｂの順でボルト５２をボルト孔１２ａの側から貫通させ、ボルト孔１２ｂ側においてナット６２を６２を締めて仮締めを行なう。それぞれの相対するエレクションピースＥ１、Ｅ２のボルト孔１３ｃ、１４ｃ、１５ｃとプレート１ａ，１ｂのボルト孔１３ａ，１４ａ，１５ａと１３ｂ、１４ｂ、１５ｂもそれぞれ５３，５４、５５のボルトと６３，６４，６５のナットで仮締めして、第一エレクションピースの最下部のボルト孔１６ｃおよびプレート１ａ，１ｂのボルト孔１６ａ，１６ｂにはＵ字金具１をボルト５１をＵ字型金具ボルト孔１１ｄから１６ａ，１６ｃ，１６ｂ，１２ｄを貫通させ，ナット６６で締め付け仮連結する。
【００３０】この操作が終了した後下げ振り等の鉛直測定装置によって上側柱部材ＵＰの鉛直方向からの傾きを測定し、上側柱部材ＵＰの傾き方向と傾き加減を検出する。そして傾きがわかったところで、傾いている逆の方の長尺部材接合用転倒防止立ち入れ装置ＡのＵ字型特殊金具１のボルトＸを第一エレクションピースＥ１の最下部面と第二エレクションピースＥ２の最上部面に直角に締め付ける。その後に上側柱部材ＵＰの傾き側の長尺部材接合用転倒防止建ち入れ装置Ａの第一、第二エレクションピースＥ１，Ｅ２の接地面に半円孔されたＦ１，Ｆ２の間にクサビ２を上下柱部材ＵＰ、ＤＰ面に平行に打ち込むことで、第二エレクションピースＥ２を押し上げ、上側柱部材ＵＰの建ち入り直しを行なう。また必要に応じ、柱部材周囲の他の部分に設けた装置Ａにおいても同様の操作を行ない、最終的に上側柱部材ＵＰを鉛直状態にする。また必要に応じ打ち込んだクサビ２を逆側から打ちつけることで微調整を行う。
【００３１】その後、Ｕ字型金具１のボルトＸをそれぞれ第一、第二エレクションピースＥ１，Ｅ２の最上部面及び最下部面を直角に締めつけ上側柱部材ＵＰの鉛直状態を固定，ボルト５２，５３，５４，５５の増し締めをして上部柱部材ＵＰの横ずれを防止する。上側柱部材の重量にもよるが、この時点で長尺部材建て入れ装置Ａからクサビ２とＵ字型金具を取り外し建て入れ直し作業は終了する。
【００３２】Ｕ字型金具１の締めつけボルトＸを緩め、ボルト５０及び５１を取り外す事で簡単にＵ字型金具を装置Ａから取り外せる、上下柱部材ＵＰ，ＤＰ面に平行に打ち込まれたクサビ２も打ち込み側の逆をたたく事で同じく装置Ａからとりはずす。後従来どおり下側柱部材ＤＰと上側柱部材ＵＰを溶接等の方法で本接合した後一対のスプライスプレート１ａ，１ｂと第一，第二エレクションピース部を切り離し鉄骨業者が引き取りを行う。もしくわ、ボルト５２，５３，５４，５５，を取り外しスプライスプレート１ａ，１ｂは転用し再利用する。
【００３３】以上説明した長尺部材接続用転倒防止建て入れ直し装置Ａには、Ｕ字型特殊金具１が上下に２個使用されているが、エレクションピースＥ１，Ｅ２と一対のスプライスプレート１ａ，１ｂのそれぞれのボルト孔の位置や径を変更することで、上部及び下部のどちらか一方のみにＵ字型特殊金具Ａを取り付けるだけでも同じ効力を出せる。
【００３４】
【発明の効果】そこで本発明は、下側部材の上端部に上側長尺部材を鉛直方向に建てる立ち入り及び転倒防止作業において建て入れた長尺部材を立ち入り直しして下部部材に接合し転倒防止するに供する転倒防止長尺部材接合用立ち入り直し装置であり、簡単に短時間でまた、他の建設作業の障害になることなく立ち入り直し作業を行う事が出来一度鉛直調整を行った新設鉄骨柱の精度を保持する事ができる、構造簡単で安価で転用が簡単な長尺部材接合用転倒防止及び立ち入り直し装置を提供する事ができる。
【図面の簡単な説明】
【図１】本発明にかかる柱部材接続用建ち入り直し装置の使用状態を示す斜視図である。
【図２】図１に示す柱部材接続用建ち入り装置の正面図である。
【図３】図１に示す柱部材接続用建ち入り装置の側面図である。
【図４】図１に示す柱部材接続用建ち入り装置の上部、下部に取り付いているＵ字型金具１の斜視図である。
【図５】図１に示す柱部材接続用建ち入り装置のＥ２、Ｅ１部分の側面図
【図６】図１に示す柱部材接続用建ち入り装置の２の部品及び他の考えられるクサビの形状
【図７】図１に示す柱部材接続用建ち入り装置のＵ字型金具の上部にあるボルトをエレクションピースの上部に向けて締め付けた場合のボルト穴の位置等の断面図である。
【図８】図１に示す２のクサビの形状を図６の３に変更した場合のエレクションピースの側面図である。
【図９】図１に示す２のクサビの形状を図６の４に変更した場合のエレクションピースの側面図である。
【符号の説明】
１ａ、２ｂ  スプライスプレート
Ｅ１，Ｅ２  エレクションピース
５０、５１  エレクションピース、スプライスプレート及びＵ字型金具接続用ボルト
５２，５３，５４，５５  エレクションピース、スプライス接続用ボルト
ＤＰ  下側柱部材
ＵＰ  上側柱部材
１  Ｕ字型金具
Ｘ  Ｕ字型金具のネジ切りされた部分
Ｙ  エレクションピース上部、下部固定ボルト
２、３、４  エレクション間調整用クサビ
１１Ｄ、１２Ｄ  ボルト孔
１１ｃ、１２ｃ、１３ｃ、１４ｃ、１５ｃ、１６  ボルト孔
Ｆ１、Ｆ２  クサビ打ち込み用エレクションピース加工
Ｇ，Ｈ  クサビ打ち込み用エレクションピース加工
１１ａ、１２ａ、１３ａ、１４ａ、１５ａ、１６ａ  はエレクションピースのボルト孔
Ｅ１１、Ｅ１２、Ｅ１３、Ｅ１４、Ｅ１５、Ｅ１６  スプライスプレートのボルト孔
【図１】
2004239032.tif 000003
【図２】
2004239032.tif 000004
【図３】
2004239032.tif 000005
【図４】
2004239032.tif 000006
【図５】
2004239032.tif 000007
【図６】
2004239032.tif 000008
【図７】
2004239032.tif 000009
【図８】
2004239032.tif 000010
【図９】
2004239032.tif 000011